(57)【要約】【課題】表示ユニットを収納する筺体が第１部材と第２部材とからなり、筺体の開口から操作部材の被操作部が露出するように該操作部材を第１部材と第２部材で挟持する表示装置であって、成形時に第１部材や第２部材に歪みが発生した場合でも、被操作部を操作可能なものの提供。【解決手段】表示装置１は、前キャビネット６と後キャビネット７からなる筺体５と、操作ボタン８ａを有する操作部材８とを備え、操作部材８を前キャビネット６と後キャビネット７により狭持し、操作ボタン８ａを筺体５の開口５ａから露出させる。操作部材８が、開口５ａに対して操作ボタン８ａの突出方向と同じ方向に突出するガイド部８ｄを有し、該ガイド部８ｄの前キャビネット６と後キャビネット７の挟持方向の幅が、操作ボタン８ａの同方向の幅より長い。【選択図】図４
2013074390.tif 000002
【特許請求の範囲】
【請求項１】
第１部材と第２部材からなる筺体と、被操作部を有する操作部材とを備え、前記操作部材を前記第１部材と前記第２部材により狭持し、前記被操作部を前記筺体の開口から露出させた表示装置であって、
前記操作部材は、前記開口に対して前記被操作部の突出方向と同じ方向に突出するガイド部を有し、該ガイド部の前記第１部材と前記第２部材との挟持方向の幅が、前記被操作部の前記第１部材と前記第２部材との挟持方向の幅より長いことを特徴とする表示装置。
【請求項２】
前記操作部材は、当該操作部材の長手方向に介する一端もしくは両端に前記ガイド部を有することを特徴とする請求項１に記載の表示装置。
【請求項３】
前記操作部材は、前記被操作部を複数有し、前記被操作部と他の前記被操作部との間に前記ガイド部を有することを特徴とする請求項１または２に記載の表示装置。
【発明の詳細な説明】
【技術分野】
【０００１】
本発明は、表示ユニットを収納する筺体が第１部材と第２部材とからなる表示装置、特に、筺体の開口から操作部材の被操作部が露出するように該操作部材を第１部材と第２部材で挟持する表示装置に関する。
【背景技術】
【０００２】
近年、液晶表示装置やプラズマ表示装置等の表示装置では薄型化が進み、厚さ２ｃｍ程度のものも発売されている。このような薄型の表示装置では、操作ボタンが側面に設けられることが多い。
操作ボタンの取り付け方法としては、操作ボタンユニットとして取り付ける方法が知られている（例えば特許文献１参照）。操作ボタンユニットとは、複数の操作ボタンを有する操作部材と、各操作ボタンの背後にスイッチを配する回路基板とがケース内に収納されたもので、該ケースから操作ボタンが突出している。操作ボタンユニットは、操作ボタンが表示装置の筺体から露出するよう該筺体に取り付けられる。
また、特許文献２には、表示装置の筺体を前キャビネットと後キャビネットで構成し、後キャビネットに設けられた開口から操作ボタンが露出するよう前キャビネットに操作ボタンを取り付ける方法も知られている。
【０００３】
上述の方法の他には、図５に示すように、表示装置の筺体を構成する前キャビネット１０１と後キャビネット１０２で、被操作部すなわち操作ボタン１０３ａを有する操作部材１０３を挟持する方法も知られている。この方法では、前キャビネット１０１と後キャビネット１０２からなる筺体の開口１０４から操作部材１０３の被操作部すなわち操作ボタン１０３ａが露出するよう取付けが行われる。この方法は、部品点数が少ないため、薄型化に好適であり、また、組み立てが容易である。前キャビネット１０１及び後キャビネット１０２は例えば樹脂成型により作製される。
【先行技術文献】
【特許文献】
【０００４】
【特許文献１】特開２０１０−５０５８５号公報
【特許文献２】特開２００７−１１４５６６号公報
【発明の開示】
【発明が解決しようとする課題】
【０００５】
しかし、図５の取り付け方法では、前キャビネット１０１及び後キャビネット１０２の樹脂成型の際に歪みが発生した場合に、歪み方によっては、操作ボタン１０３ａが押下された時に、開口１０４部分において、前キャビネット１０１や後キャビネットと操作ボタン１０３ａが接触してしまい、ユーザが押下しづらくなるという問題があった。また、はなはだしい場合には、押下できなくなることもあった。これは、大型の表示装置では、歪みも大きくなることがあるため、特に問題となる。
特許文献１及び特許文献２に開示の発明は、操作ボタンの取り付け方法が図５のものと異なり、また、これら文献には、上述の問題に関し、何ら開示も示唆もされていない。
【０００６】
本発明は、上述のような実情を鑑み、表示ユニットを収納する筺体が第１部材と第２部材とからなり、筺体の開口から操作部材の被操作部が露出するように該操作部材を第１部材と第２部材で挟持する表示装置であって、成形時に第１部材や第２部材に歪みが発生した場合でも、被操作部を操作可能なものを提供する。
【課題を解決するための手段】
【０００７】
本発明の第１の技術手段は、第１部材と第２部材からなる筺体と、被操作部を有する操作部材とを備え、前記操作部材を前記第１部材と前記第２部材により狭持し、前記被操作部を前記筺体の開口から露出させた表示装置であって、前記操作部材が、前記開口に対して前記被操作部の突出方向と同じ方向に突出するガイド部を有し、該ガイド部の前記第１部材と前記第２部材との挟持方向の幅が、前記被操作部の前記第１部材と前記第２部材との挟持方向の幅より長いことを特徴としたものである。
【０００８】
本発明の第２の技術手段は、第１の技術手段において、前記操作部材が、当該操作部材の長手方向に介する一端もしくは両端に前記ガイド部を有することを特徴としたものである。
【０００９】
本発明の第３の技術手段は、第１または第２の技術手段において、前記操作部材が、前記被操作部を複数有し、前記被操作部と他の前記被操作部との間に前記ガイド部を有することを特徴としたものである。
【発明の効果】
【００１０】
本発明によれば、表示ユニットを収納する筺体が第１部材と第２部材とからなり、筺体の開口から操作部材の被操作部が露出するように該操作部材を第１部材と第２部材で挟持する表示装置であって、成形時に第１部材や第２部材に歪みが発生した場合でも、被操作部を操作可能なものを提供することができる。
【図面の簡単な説明】
【００１１】
【図１】本発明の表示装置の一例である液晶表示装置を示す外観図である。
【図２】図１の表示装置の操作ボタン側の部分拡大側面図である。
【図３】本発明の特徴部に関わる操作部材を説明する図である。
【図４】図３の操作部材の、表示装置の筺体５への固定構造及び本発明の特徴を説明する図である。
【図５】従来の表示装置での操作ボタンの取り付け方法を説明する図である。
【発明を実施するための最良の形態】
【００１２】
図１は、本発明の表示装置の一例である液晶表示装置を示す外観図である。図示するように、液晶表示装置１は、装置本体２と、該本体２を支持する支持台３とを備え、装置本体２は、液晶パネルとバックライトとから成る矩形の表示モジュール４と、該表示モジュール４や各種回路基板（不図示）を収納する筐体５とを有する。
【００１３】
筐体５は、表示モジュール４の外周部を液晶表示装置１の正面側から覆う前キャビネット６と、表示モジュール４等の全体を背面側から覆う後キャビネット７と、から成る。前キャビネット６が本発明の「第１部材」に相当し、後キャビネット７が本発明の「第２部材」に相当する。前キャビネット６及び後キャビネット７は、ポリカＡＢＳアロイ樹脂等の樹脂材料から成る。また、前キャビネット６は、表示モジュール４の表示画面が露出しユーザが視聴可能となるように開口６ａを有する枠体となっており、後キャビネット７は、前キャビネット６と略同等の大きさの面積を有し、電源ケーブルを導入するための開口（不図示）等が設けられている。
上述の前キャビネット６と後キャビネット７から構成される筺体５の側面には、被操作部としての操作ボタン８ａが設けられている。
【００１４】
図２は、図１の表示装置１の操作ボタン８ａ側の部分拡大側面図である。操作ボタン８ａは、前キャビネット６と後キャビネット７との境界部分に複数設けられている。なお、操作ボタン８ａとは、液晶表示装置１の電源をＯＮ／ＯＦＦするための電源ボタンや、輝度設定等の各種設定を行うためのメニューボタン、いずれの端子からの入力を表示するか決定するための入力／放送切換（決定）ボタン、選局するための選局ボタン、音量を調整するための音量ボタン等である。
これら操作ボタン８ａの筺体５への取り付けは、該操作ボタン８ａが一体に成型された操作部材が筺体５に固定されることにより行われる。
【００１５】
図３及び図４を用いて、本発明の特徴部に関わる操作部材及び該操作部材の筺体５への固定構造について説明する。図３は、操作ボタン８ａ付近の部分拡大図であり、後キャビネット７を図３（Ａ）では仮想線で、図３（Ｂ）では実線でそれぞれ示している。図４（Ａ）は、図２のＡ−Ａ断面図、図４（Ｂ）は同Ｂ−Ｂ断面図である。
【００１６】
図３の操作部材８は、例えば、ポリカＡＢＳアロイ樹脂等の樹脂材料を用いて、複数の凸形状の操作ボタン８ａが一体に樹脂成型されたものであり、操作ボタン８ａがフレーム部８ｂにより連結されて成る。フレーム部８ｂには、各操作ボタン８ａを独立して操作可能なように、切り欠き８ｃが設けられている。
また、操作部材８には、操作ボタン８ａと同様に且つ同程度フレーム部材８ｂから垂直方向に突出する凸形状を有するガイド部８ｄが、操作部材の長手方向に対して両端に設けられている（図２参照）。このガイド部８ｄと操作ボタン８ａとの間にも切り欠き８ｃが設けられている。
このような操作部材８は、操作ボタン８ａとガイド部８ｄの両方が、前キャビネット６と後キャビネット７との境界に設けられた開口５ａから露出するよう筺体５に取り付けられる。
【００１７】
筺体５への操作部材８の取付けは、図４（Ａ）に示すように、該操作部材８のフレーム部８ｂが、前キャビネット６及び後キャビネット７それぞれに設けられた凹所６ｂ，７ａに挿入された状態で、前キャビネット６と後キャビネット７とに挟持・固定されることにより行われる。
ユーザは、開口５ａから露出する操作ボタン８ａの先端部を手などにより押すことにより、回路基板９に設けられスイッチ９ａが操作ボタン８ａの反対側の端部により押されるので、このスイッチ９ａのＯＮ／ＯＦＦ等の操作を行うことができる。なお、回路基板９は、ビス等を用いて前キャビネット６に固定される。また、操作ボタン８ａが押された時に、回路基板が動くことがないよう操作部材８のフレーム部８ｂにはフック部８ｅが設けられている。
【００１８】
表示装置１では、筺体５に設けられた開口５ａから操作ボタン８ａだけでなく、図４（Ｂ）に示すように、ガイド部８ｄも開口５ａから突出するようになっており、このガイド部８ｄの前キャビネット６と後キャビネット７との挟持方向の幅が、操作ボタン８ａの同方向の幅より大きくなっている。
したがって、前キャビネット６及び／又は後キャビネット７の樹脂成型の際に歪みが発生した場合でも、ガイド部８ｄの存在によって、開口５ａの前キャビネット６と後キャビネット７との挟持方向の幅が、ガイド部８ｄの同方向に対する幅より大きいままであり、また、開口５ａの歪みも抑制できる。そのため、操作ボタン８ａを操作したときに、該ボタン８ａが筺体５に接触して操作が妨げられることがない。
【００１９】
以上の例では、上述のガイド部の形成位置は、操作部材の長手方向に対する両端であったが、これに限られず、同方向に対する一端であってもよいし、操作部材に操作ボタンが複数ある場合は、操作ボタンと操作との間の位置にガイド部を形成してもよい。
なお、上述の例では、操作ボタンの数が５つの例を示したが、これに限られず、４つ以下であってもよく、１つでもよく、また、６つ以上であってもよい。
また、操作ボタンを筺体外部に露出させるための開口の形成位置は、上述の例では、前キャビネットと後キャビネットとの境界であったが、これに限られず、前キャビネット上であってもよいし、後キャビネット上であってもよい。
【符号の説明】
【００２０】
１…液晶表示装置、２…装置本体、３…支持台、４…表示モジュール、５…筐体、６…前キャビネット、７…後キャビネット、８…操作部材、８ａ…操作ボタン、８ｂ…フレーム、８ｄ…ガイド部、９ａ…スイッチ。
【図１】
2013074390.tif 000003
【図２】
2013074390.tif 000004
【図３】
2013074390.tif 000005
【図４】
2013074390.tif 000006
【図５】
2013074390.tif 000007